(57)【要約】【課題】被装着物の高さを上昇させる操作中に誤ってアジャスターの雄ねじ部が被装着物の雌ねじ部から外れてしまうおそれを排除する。【解決手段】接地部1aと溝1b1を備えた雄ねじ部1bとを有するアジャスター本体1を具備するアジャスター100において、ストッパー2の回動中心軸線2a'とストッパー2の重心G2とを含む中心面CS2に関してストッパー2が面対称であり、ストッパー2の重心G2が長手方向の一方の側の部分2bに位置し、他方の側の部分2cの中心軸線2a'を中心とする外接円の半径が溝1b1の両側の壁部1b1a,1b1bの穴1b1a1,1b1b1の中心軸線1'を中心とする底部1b1cの内接円の半径より小さく、部分2bの外接円の半径が底部1b1cの外接円の半径より大きく、中心軸線1b'と中心面CS2とが一致するか平行になる時のストッパー2の中心軸線1b'方向投影像2'が雄ねじ部1bのねじ谷部1b3の投影像1b3'の内側に位置する。【選択図】図１
2012179261.tif 000002
【特許請求の範囲】
【請求項１】
接地部（１ａ）と雄ねじ部（１ｂ）とを有するアジャスター本体（１）を具備し、
雄ねじ部（１ｂ）の先端部分に溝（１ｂ１）を形成し、
溝（１ｂ１）の一方の側に位置する第１壁部（１ｂ１ａ）に穴（１ｂ１ａ１）を形成し、
第１壁部（１ｂ１ａ）の穴（１ｂ１ａ１）と同心の穴（１ｂ１ｂ１）を溝（１ｂ１）の他方の側に位置する第２壁部（１ｂ１ｂ）に形成し、
第１壁部（１ｂ１ａ）の穴（１ｂ１ａ１）および第２壁部（１ｂ１ｂ）の穴（１ｂ１ｂ１）によって支持された軸部材（３）を中心に回動可能に構成された板状のストッパー（２）を、アジャスター本体（１）の雄ねじ部（１ｂ）の溝（１ｂ１）内に配置し、
ストッパー（２）のうち、軸部材（３）と嵌合するストッパー（２）の穴（２ａ）の中心軸線（２ａ’）とストッパー（２）の重心（Ｇ２）とを含む中心面（ＣＳ２）よりもストッパー（２）の短手方向の一方の側に位置する第１部分（２−１）と、ストッパー（２）の中心面（Ｓ２）よりもストッパー（２）の短手方向の他方の側に位置する第２部分（２−２）とが、ストッパー（２）の中心面（ＣＳ２）に関して面対称になるように、ストッパー（２）を形成し、
ストッパー（２）のうち、ストッパー（２）の穴（２ａ）の中心軸線（２ａ’）よりもストッパー（２）の長手方向の一方の側に位置する第３部分（２ｂ）に、ストッパー（２）の重心（Ｇ２）を配置し、
ストッパー（２）のうち、ストッパー（２）の穴（２ａ）の中心軸線（２ａ’）よりもストッパー（２）の長手方向の他方の側に位置する第４部分（２ｃ）の外接円（ＣＣ２ｃ）であって、ストッパー（２）の穴（２ａ）の中心軸線（２ａ’）を中心とする外接円（ＣＣ２ｃ）の半径（ｒＣＣ２ｃ）が、アジャスター本体（１）の第１壁部（１ｂ１ａ）の穴（１ｂ１ａ１）および第２壁部（１ｂ１ｂ）の穴（１ｂ１ｂ１）の中心軸線（１’）を中心とするアジャスター本体（１）の溝（１ｂ１）の底部（１ｂ１ｃ）の内接円（ＩＣ１ｂ１ｃ）の半径（ｒＩＣ１ｂ１ｃ）よりも小さくなるように、ストッパー（２）の第４部分（２ｃ）を形成し、
ストッパー（２）の穴（２ａ）の中心軸線（２ａ’）を中心とするストッパー（２）の第３部分（２ｂ）の外接円（ＣＣ２ｂ）の半径（ｒＣＣ２ｂ）が、アジャスター本体（１）の第１壁部（１ｂ１ａ）の穴（１ｂ１ａ１）および第２壁部（１ｂ１ｂ）の穴（１ｂ１ｂ１）の中心軸線（１’）を中心とするアジャスター本体（１）の溝（１ｂ１）の底部（１ｂ１ｃ）の外接円（ＣＣ１ｂ１ｃ）の半径（ｒＣＣ１ｂ１ｃ）よりも大きくなるように、ストッパー（２）の第３部分（２ｂ）を形成し、
アジャスター本体（１）の雄ねじ部（１ｂ）の中心軸線（１ｂ’）とストッパー（２）の中心面（ＣＳ２）とが一致するか、あるいは、平行になるストッパー（２）の第１の回動状態の時に、アジャスター本体（１）の雄ねじ部（１ｂ）の中心軸線（１ｂ’）の方向に投影されるストッパー（２）の像（２’）が、アジャスター本体（１）の雄ねじ部（１ｂ）の中心軸線（１ｂ’）の方向に投影されるアジャスター本体（１）の雄ねじ部（１ｂ）のねじ谷部（１ｂ３）の円形の像（１ｂ３’）の内側に位置し、
ストッパー（２）の第１部分（２−１）がアジャスター本体（１）の接地部（１ａ）に対向するストッパー（２）の第２の回動状態の時に、ストッパー（２）の第３部分（２ｂ）の端部（２ｂ１）が、アジャスター本体（１）の雄ねじ部（１ｂ）の溝（１ｂ１）の外側に露出すると共に、ストッパー（２）の第４部分（２ｃ）の端部（２ｃ１）が、アジャスター本体（１）の雄ねじ部（１ｂ）の溝（１ｂ１）の外側に露出し、かつ、ストッパー（２）の第３部分（２ｂ）の端部（２ｂ１）のうち、アジャスター本体（１）の接地部（１ａ）に最も近い部分（２ｂ１−１）と、ストッパー（２）の第４部分（２ｃ）の端部（２ｃ１）のうち、アジャスター本体（１）の接地部（１ａ）に最も近い部分（２ｃ１−１）とが、アジャスター本体（１）の雄ねじ部（１ｂ）の中心軸線（１ｂ’）に垂直な平面（ＨＳ）上に位置し、
ストッパー（２）の第２部分（２−２）がアジャスター本体（１）の接地部（１ａ）に対向するストッパー（２）の第３の回動状態の時に、ストッパー（２）の第３部分（２ｂ）の端部（２ｂ１）が、アジャスター本体（１）の雄ねじ部（１ｂ）の溝（１ｂ１）の外側に露出すると共に、ストッパー（２）の第４部分（２ｃ）の端部（２ｃ１）が、アジャスター本体（１）の雄ねじ部（１ｂ）の溝（１ｂ１）の外側に露出し、かつ、ストッパー（２）の第３部分（２ｂ）の端部（２ｂ１）のうち、アジャスター本体（１）の接地部（１ａ）に最も近い部分（２ｂ１−２）と、ストッパー（２）の第４部分（２ｃ）の端部（２ｃ１）のうち、アジャスター本体（１）の接地部（１ａ）に最も近い部分（２ｃ１−２）とが、アジャスター本体（１）の雄ねじ部（１ｂ）の中心軸線（１ｂ’）に垂直な平面（ＨＳ）上に位置することを特徴とするアジャスター（１００）。
【発明の詳細な説明】
【技術分野】
【０００１】
本発明は、接地部と雄ねじ部とを有するアジャスターに関する。特に、本発明は、例えば机などの什器のような被装着物の高さを調整するために被装着物の雌ねじ部とアジャスターの雄ねじ部との螺合が解除される向きにアジャスターが被装着物に対して回転せしめられている時に、誤ってアジャスターの雄ねじ部が被装着物の雌ねじ部から外れてしまうおそれを排除することができるアジャスターに関する。
【背景技術】
【０００２】
従来から、接地部と雄ねじ部とを有するアジャスターが知られている。この種のアジャスターの例としては、例えば特許文献１（特開平１０−２４３８３１号公報）の図３等に記載されたものがある。特許文献１の図３に記載されたアジャスターでは、例えば机などの被装着物の雌ねじ部とアジャスターの雄ねじ部との螺合が解除される向きにアジャスターを被装着物に対して回転させることにより、床面に対する被装着物の高さを高くすることができる。
【０００３】
ところで、一般的なアジャスターでは、アジャスターが被装着物よりも床面側に位置する被装着物の通常の使用状態の姿勢で、床面に対する被装着物の高さを上昇させる操作が行われる。つまり、アジャスターが被装着物よりも操作者の眼から離れている状態で、床面に対する被装着物の高さを上昇させる操作が手探りで行われる。そのため、例えば特許文献１の図３に記載されたアジャスターのような従来のアジャスターでは、操作中に、被装着物の雌ねじ部とアジャスターの雄ねじ部との螺合が解除される向きにアジャスターが被装着物に対して回転せしめられた量を、操作者が正確に把握することができない。その結果、例えば特許文献１の図３に記載されたアジャスターのような従来のアジャスターでは、操作中に、誤ってアジャスターの雄ねじ部が被装着物の雌ねじ部から外れてしまうおそれがある。
【０００４】
換言すれば、例えば特許文献１の図３に記載されたアジャスターのような従来のアジャスターでは、被装着物の高さを調整するために被装着物の雌ねじ部とアジャスターの雄ねじ部との螺合が解除される向きにアジャスターが被装着物に対して回転せしめられている時に、誤ってアジャスターの雄ねじ部が被装着物の雌ねじ部から外れてしまうおそれがある。
【先行技術文献】
【特許文献】
【０００５】
【特許文献１】特開平１０−２４３８３１号公報
【発明の概要】
【発明が解決しようとする課題】
【０００６】
前記問題点に鑑み、本発明は、被装着物の高さを調整するために被装着物の雌ねじ部とアジャスターの雄ねじ部との螺合が解除される向きにアジャスターが被装着物に対して回転せしめられている時に誤ってアジャスターの雄ねじ部が被装着物の雌ねじ部から外れてしまうおそれを排除することができるアジャスターを提供することを目的とする。
【課題を解決するための手段】
【０００７】
請求項１に記載の発明によれば、接地部（１ａ）と雄ねじ部（１ｂ）とを有するアジャスター本体（１）を具備し、
雄ねじ部（１ｂ）の先端部分に溝（１ｂ１）を形成し、
溝（１ｂ１）の一方の側に位置する第１壁部（１ｂ１ａ）に穴（１ｂ１ａ１）を形成し、
第１壁部（１ｂ１ａ）の穴（１ｂ１ａ１）と同心の穴（１ｂ１ｂ１）を溝（１ｂ１）の他方の側に位置する第２壁部（１ｂ１ｂ）に形成し、
第１壁部（１ｂ１ａ）の穴（１ｂ１ａ１）および第２壁部（１ｂ１ｂ）の穴（１ｂ１ｂ１）によって支持された軸部材（３）を中心に回動可能に構成された板状のストッパー（２）を、アジャスター本体（１）の雄ねじ部（１ｂ）の溝（１ｂ１）内に配置し、
ストッパー（２）のうち、軸部材（３）と嵌合するストッパー（２）の穴（２ａ）の中心軸線（２ａ’）とストッパー（２）の重心（Ｇ２）とを含む中心面（ＣＳ２）よりもストッパー（２）の短手方向の一方の側に位置する第１部分（２−１）と、ストッパー（２）の中心面（Ｓ２）よりもストッパー（２）の短手方向の他方の側に位置する第２部分（２−２）とが、ストッパー（２）の中心面（ＣＳ２）に関して面対称になるように、ストッパー（２）を形成し、
ストッパー（２）のうち、ストッパー（２）の穴（２ａ）の中心軸線（２ａ’）よりもストッパー（２）の長手方向の一方の側に位置する第３部分（２ｂ）に、ストッパー（２）の重心（Ｇ２）を配置し、
ストッパー（２）のうち、ストッパー（２）の穴（２ａ）の中心軸線（２ａ’）よりもストッパー（２）の長手方向の他方の側に位置する第４部分（２ｃ）の外接円（ＣＣ２ｃ）であって、ストッパー（２）の穴（２ａ）の中心軸線（２ａ’）を中心とする外接円（ＣＣ２ｃ）の半径（ｒＣＣ２ｃ）が、アジャスター本体（１）の第１壁部（１ｂ１ａ）の穴（１ｂ１ａ１）および第２壁部（１ｂ１ｂ）の穴（１ｂ１ｂ１）の中心軸線（１’）を中心とするアジャスター本体（１）の溝（１ｂ１）の底部（１ｂ１ｃ）の内接円（ＩＣ１ｂ１ｃ）の半径（ｒＩＣ１ｂ１ｃ）よりも小さくなるように、ストッパー（２）の第４部分（２ｃ）を形成し、
ストッパー（２）の穴（２ａ）の中心軸線（２ａ’）を中心とするストッパー（２）の第３部分（２ｂ）の外接円（ＣＣ２ｂ）の半径（ｒＣＣ２ｂ）が、アジャスター本体（１）の第１壁部（１ｂ１ａ）の穴（１ｂ１ａ１）および第２壁部（１ｂ１ｂ）の穴（１ｂ１ｂ１）の中心軸線（１’）を中心とするアジャスター本体（１）の溝（１ｂ１）の底部（１ｂ１ｃ）の外接円（ＣＣ１ｂ１ｃ）の半径（ｒＣＣ１ｂ１ｃ）よりも大きくなるように、ストッパー（２）の第３部分（２ｂ）を形成し、
アジャスター本体（１）の雄ねじ部（１ｂ）の中心軸線（１ｂ’）とストッパー（２）の中心面（ＣＳ２）とが一致するか、あるいは、平行になるストッパー（２）の第１の回動状態の時に、アジャスター本体（１）の雄ねじ部（１ｂ）の中心軸線（１ｂ’）の方向に投影されるストッパー（２）の像（２’）が、アジャスター本体（１）の雄ねじ部（１ｂ）の中心軸線（１ｂ’）の方向に投影されるアジャスター本体（１）の雄ねじ部（１ｂ）のねじ谷部（１ｂ３）の円形の像（１ｂ３’）の内側に位置し、
ストッパー（２）の第１部分（２−１）がアジャスター本体（１）の接地部（１ａ）に対向するストッパー（２）の第２の回動状態の時に、ストッパー（２）の第３部分（２ｂ）の端部（２ｂ１）が、アジャスター本体（１）の雄ねじ部（１ｂ）の溝（１ｂ１）の外側に露出すると共に、ストッパー（２）の第４部分（２ｃ）の端部（２ｃ１）が、アジャスター本体（１）の雄ねじ部（１ｂ）の溝（１ｂ１）の外側に露出し、かつ、ストッパー（２）の第３部分（２ｂ）の端部（２ｂ１）のうち、アジャスター本体（１）の接地部（１ａ）に最も近い部分（２ｂ１−１）と、ストッパー（２）の第４部分（２ｃ）の端部（２ｃ１）のうち、アジャスター本体（１）の接地部（１ａ）に最も近い部分（２ｃ１−１）とが、アジャスター本体（１）の雄ねじ部（１ｂ）の中心軸線（１ｂ’）に垂直な平面（ＨＳ）上に位置し、
ストッパー（２）の第２部分（２−２）がアジャスター本体（１）の接地部（１ａ）に対向するストッパー（２）の第３の回動状態の時に、ストッパー（２）の第３部分（２ｂ）の端部（２ｂ１）が、アジャスター本体（１）の雄ねじ部（１ｂ）の溝（１ｂ１）の外側に露出すると共に、ストッパー（２）の第４部分（２ｃ）の端部（２ｃ１）が、アジャスター本体（１）の雄ねじ部（１ｂ）の溝（１ｂ１）の外側に露出し、かつ、ストッパー（２）の第３部分（２ｂ）の端部（２ｂ１）のうち、アジャスター本体（１）の接地部（１ａ）に最も近い部分（２ｂ１−２）と、ストッパー（２）の第４部分（２ｃ）の端部（２ｃ１）のうち、アジャスター本体（１）の接地部（１ａ）に最も近い部分（２ｃ１−２）とが、アジャスター本体（１）の雄ねじ部（１ｂ）の中心軸線（１ｂ’）に垂直な平面（ＨＳ）上に位置することを特徴とするアジャスター（１００）が提供される。
【発明の効果】
【０００８】
請求項１に記載のアジャスター（１００）では、接地部（１ａ）と雄ねじ部（１ｂ）とを有するアジャスター本体（１）が設けられている。また、雄ねじ部（１ｂ）の先端部分に溝（１ｂ１）が形成されている。更に、溝（１ｂ１）の一方の側に位置する第１壁部（１ｂ１ａ）に穴（１ｂ１ａ１）が形成されている。
【０００９】
また、請求項１に記載のアジャスター（１００）では、第１壁部（１ｂ１ａ）の穴（１ｂ１ａ１）と同心の穴（１ｂ１ｂ１）が、溝（１ｂ１）の他方の側に位置する第２壁部（１ｂ１ｂ）に形成されている。更に、第１壁部（１ｂ１ａ）の穴（１ｂ１ａ１）および第２壁部（１ｂ１ｂ）の穴（１ｂ１ｂ１）によって支持された軸部材（３）を中心に回動可能に構成された板状のストッパー（２）が、アジャスター本体（１）の雄ねじ部（１ｂ）の溝（１ｂ１）内に配置されている。
【００１０】
詳細には、請求項１に記載のアジャスター（１００）では、ストッパー（２）のうち、軸部材（３）と嵌合するストッパー（２）の穴（２ａ）の中心軸線（２ａ’）とストッパー（２）の重心（Ｇ２）とを含む中心面（ＣＳ２）よりもストッパー（２）の短手方向の一方の側に位置する第１部分（２−１）と、ストッパー（２）の中心面（Ｓ２）よりもストッパー（２）の短手方向の他方の側に位置する第２部分（２−２）とが、ストッパー（２）の中心面（ＣＳ２）に関して面対称になるように、ストッパー（２）が形成されている。
【００１１】
更に、請求項１に記載のアジャスター（１００）では、ストッパー（２）のうち、ストッパー（２）の穴（２ａ）の中心軸線（２ａ’）よりもストッパー（２）の長手方向の一方の側に位置する第３部分（２ｂ）に、ストッパー（２）の重心（Ｇ２）が配置されている。
【００１２】
また、請求項１に記載のアジャスター（１００）では、ストッパー（２）のうち、ストッパー（２）の穴（２ａ）の中心軸線（２ａ’）よりもストッパー（２）の長手方向の他方の側に位置する第４部分（２ｃ）の外接円（ＣＣ２ｃ）であって、ストッパー（２）の穴（２ａ）の中心軸線（２ａ’）を中心とする外接円（ＣＣ２ｃ）の半径（ｒＣＣ２ｃ）が、アジャスター本体（１）の第１壁部（１ｂ１ａ）の穴（１ｂ１ａ１）および第２壁部（１ｂ１ｂ）の穴（１ｂ１ｂ１）の中心軸線（１’）を中心とするアジャスター本体（１）の溝（１ｂ１）の底部（１ｂ１ｃ）の内接円（ＩＣ１ｂ１ｃ）の半径（ｒＩＣ１ｂ１ｃ）よりも小さくなるように、ストッパー（２）の第４部分（２ｃ）が形成されている。
【００１３】
そのため、請求項１に記載のアジャスター（１００）では、上下逆の姿勢にされた例えば什器などの被装着物（２００）の底面の雌ねじ部（２００ａ１ａ）に対し、上下逆の姿勢にされたアジャスター（１００）のアジャスター本体（１）の雄ねじ部（１ｂ）を螺合させようとすると、ストッパー（２）の第３部分（２ｂ）に配置されたストッパー（２）の重心（Ｇ２）がストッパー（２）の穴（２ａ）の中心軸線（２ａ’）の真下に位置し、更に、ストッパー（２）の第４部分（２ｃ）が、ストッパー（２）の穴（２ａ）の中心軸線（２ａ’）の真上に位置すると共に、アジャスター本体（１）の溝（１ｂ１）の底部（１ｂ１ｃ）と対向する。その結果、アジャスター本体（１）の雄ねじ部（１ｂ）の中心軸線（１ｂ’）とストッパー（２）の中心面（ＣＳ２）とが一致するか、あるいは、平行になるストッパー（２）の第１の回動状態になる。
【００１４】
更に、請求項１に記載のアジャスター（１００）では、ストッパー（２）の第１の回動状態の時に、アジャスター本体（１）の雄ねじ部（１ｂ）の中心軸線（１ｂ’）の方向に投影されるストッパー（２）の像（２’）が、アジャスター本体（１）の雄ねじ部（１ｂ）の中心軸線（１ｂ’）の方向に投影されるアジャスター本体（１）の雄ねじ部（１ｂ）のねじ谷部（１ｂ３）の円形の像（１ｂ３’）の内側に位置する。
【００１５】
そのため、請求項１に記載のアジャスター（１００）によれば、ストッパー（２）と被装着物（２００）の雌ねじ部（２００ａ１ａ）のねじ山部（２００ａ１ａ１）とが干渉することなく、被装着物（２００）の雌ねじ部（２００ａ１ａ）に対してアジャスター本体（１）の雄ねじ部（１ｂ）を螺合させることができ、被装着物（２００）に対してアジャスター（１００）を装着することができる。
【００１６】
一方、請求項１に記載のアジャスター（１００）では、被装着物（２００）および被装着物（２００）に装着されたアジャスター（１００）が、上下逆の姿勢から被装着物（２００）の通常の使用状態の姿勢に戻されると、ストッパー（２）の第３部分（２ｂ）に配置されたストッパー（２）の重心（Ｇ２）がストッパー（２）の穴（２ａ）の中心軸線（２ａ’）よりも下側に位置するように、ストッパー（２）が軸部材（３）を中心に回動する。
【００１７】
そこで、請求項１に記載のアジャスター（１００）では、ストッパー（２）の穴（２ａ）の中心軸線（２ａ’）を中心とするストッパー（２）の第３部分（２ｂ）の外接円（ＣＣ２ｂ）の半径（ｒＣＣ２ｂ）が、アジャスター本体（１）の第１壁部（１ｂ１ａ）の穴（１ｂ１ａ１）および第２壁部（１ｂ１ｂ）の穴（１ｂ１ｂ１）の中心軸線（１’）を中心とするアジャスター本体（１）の溝（１ｂ１）の底部（１ｂ１ｃ）の外接円（ＣＣ１ｂ１ｃ）の半径（ｒＣＣ１ｂ１ｃ）よりも大きくなるように、ストッパー（２）の第３部分（２ｂ）が形成されている。
【００１８】
そのため、請求項１に記載のアジャスター（１００）では、被装着物（２００）および被装着物（２００）に装着されたアジャスター（１００）が、上下逆の姿勢から被装着物（２００）の通常の使用状態の姿勢に戻された時に、アジャスター本体（１）の溝（１ｂ１）の底部（１ｂ１ｃ）とストッパー（２）の第３部分（２ｂ）とが対向するまで、ストッパー（２）が軸部材（３）を中心に回動することができない。
【００１９】
詳細には、請求項１に記載のアジャスター（１００）では、上述したように、ストッパー（２）のうち、軸部材（３）と嵌合するストッパー（２）の穴（２ａ）の中心軸線（２ａ’）とストッパー（２）の重心（Ｇ２）とを含む中心面（ＣＳ２）よりもストッパー（２）の短手方向の一方の側に位置する第１部分（２−１）と、ストッパー（２）の中心面（Ｓ２）よりもストッパー（２）の短手方向の他方の側に位置する第２部分（２−２）とが、ストッパー（２）の中心面（ＣＳ２）に関して面対称になるように、ストッパー（２）が形成されている。
【００２０】
そのため、請求項１に記載のアジャスター（１００）では、被装着物（２００）および被装着物（２００）に装着されたアジャスター（１００）が、上下逆の姿勢から被装着物（２００）の通常の使用状態の姿勢に戻されると、ストッパー（２）の第１部分（２−１）がストッパー（２）の第２部分（２−２）よりも下側になるようにストッパー（２）が軸部材（３）を中心に回動した状態になるか、あるいは、ストッパー（２）の第２部分（２−２）がストッパー（２）の第１部分（２−１）よりも下側になるようにストッパー（２）が軸部材（３）を中心に回動した状態になる。
【００２１】
更に、請求項１に記載のアジャスター（１００）では、ストッパー（２）の第１部分（２−１）がストッパー（２）の第２部分（２−２）よりも下側になるようにストッパー（２）が軸部材（３）を中心に回動した状態になる場合に、ストッパー（２）の第１部分（２−１）がアジャスター本体（１）の溝（１ｂ１）の底部（１ｂ１ｃ）の一方の側の端部（１ｂ１ｃ１）に当接した状態でストッパー（２）が停止し、ストッパー（２）の第３部分（２ｂ）の端部（２ｂ１）が、アジャスター本体（１）の雄ねじ部（１ｂ）の溝（１ｂ１）の外側に露出した状態になる。
【００２２】
一方、請求項１に記載のアジャスター（１００）では、ストッパー（２）の第２部分（２−２）がストッパー（２）の第１部分（２−１）よりも下側になるようにストッパー（２）が軸部材（３）を中心に回動した状態になる場合に、ストッパー（２）の第２部分（２−２）がアジャスター本体（１）の溝（１ｂ１）の底部（１ｂ１ｃ）の他方の側の端部（１ｂ１ｃ２）に当接した状態でストッパー（２）が停止し、ストッパー（２）の第３部分（２ｂ）の端部（２ｂ１）が、アジャスター本体（１）の雄ねじ部（１ｂ）の溝（１ｂ１）の外側に露出した状態になる。
【００２３】
また、請求項１に記載のアジャスター（１００）では、ストッパー（２）の第１部分（２−１）がアジャスター本体（１）の溝（１ｂ１）の底部（１ｂ１ｃ）の一方の側の端部（１ｂ１ｃ１）に当接した状態のアジャスター（１００）が、被装着物（２００）の雌ねじ部（２００ａ１ａ）とアジャスター本体（１）の雄ねじ部（１ｂ）との螺合が解除される向きに被装着物（２００）に対して回転せしめられると、ストッパー（２）の第１部分（２−１）が被装着物（２００）の螺合部（２００ａ）の上面（２００ａ２）に当接する。次いで、被装着物（２００）の雌ねじ部（２００ａ１ａ）とアジャスター本体（１）の雄ねじ部（１ｂ）との螺合が解除される向きにアジャスター（１００）が被装着物（２００）に対して更に回転せしめられると、ストッパー（２）の穴（２ａ）の中心軸線（２ａ’）に対するストッパー（２）の重心（Ｇ２）の位置が高くなる向きにストッパー（２）が回動する。
【００２４】
更に、請求項１に記載のアジャスター（１００）では、被装着物（２００）の雌ねじ部（２００ａ１ａ）とアジャスター本体（１）の雄ねじ部（１ｂ）との螺合が解除される向きにアジャスター（１００）が被装着物（２００）に対して回転せしめられ続けると、ストッパー（２）の第３部分（２ｂ）の端部（２ｂ１）が、アジャスター本体（１）の雄ねじ部（１ｂ）の溝（１ｂ１）の外側に露出すると共に、ストッパー（２）の第４部分（２ｃ）の端部（２ｃ１）が、アジャスター本体（１）の雄ねじ部（１ｂ）の溝（１ｂ１）の外側に露出して、ストッパー（２）の第１部分（２−１）がアジャスター本体（１）の接地部（１ａ）に対向し、ストッパー（２）の第３部分（２ｂ）の端部（２ｂ１）のうち、アジャスター本体（１）の接地部（１ａ）に最も近い部分（２ｂ１−１）と、ストッパー（２）の第４部分（２ｃ）の端部（２ｃ１）のうち、アジャスター本体（１）の接地部（１ａ）に最も近い部分（２ｃ１−１）とが、被装着物（２００）の螺合部（２００ａ）の上面（２００ａ２）に当接する。
【００２５】
その結果、請求項１に記載のアジャスター（１００）では、被装着物（２００）の雌ねじ部（２００ａ１ａ）とアジャスター本体（１）の雄ねじ部（１ｂ）との螺合が解除される向きにアジャスター（１００）を被装着物（２００）に対して回転させ続けることができなくなる。
【００２６】
換言すれば、請求項１に記載のアジャスター（１００）では、ストッパー（２）の第１部分（２−１）がアジャスター本体（１）の接地部（１ａ）に対向し、被装着物（２００）の雌ねじ部（２００ａ１ａ）とアジャスター本体（１）の雄ねじ部（１ｂ）との螺合が解除される向きにアジャスター（１００）を被装着物（２００）に対して回転させ続けることができなくなるストッパー（２）の第２の回動状態の時に、ストッパー（２）の第３部分（２ｂ）の端部（２ｂ１）が、アジャスター本体（１）の雄ねじ部（１ｂ）の溝（１ｂ１）の外側に露出すると共に、ストッパー（２）の第４部分（２ｃ）の端部（２ｃ１）が、アジャスター本体（１）の雄ねじ部（１ｂ）の溝（１ｂ１）の外側に露出し、かつ、ストッパー（２）の第３部分（２ｂ）の端部（２ｂ１）のうち、アジャスター本体（１）の接地部（１ａ）に最も近い部分（２ｂ１−１）と、ストッパー（２）の第４部分（２ｃ）の端部（２ｃ１）のうち、アジャスター本体（１）の接地部（１ａ）に最も近い部分（２ｃ１−１）とが、アジャスター本体（１）の雄ねじ部（１ｂ）の中心軸線（１ｂ’）に垂直な平面（ＨＳ）上に位置する。
【００２７】
そのため、請求項１に記載のアジャスター（１００）によれば、被装着物（２００）の高さを調整するために被装着物（２００）の雌ねじ部（２００ａ１ａ）とアジャスター本体（１）の雄ねじ部（１ｂ）との螺合が解除される向きにアジャスター（１００）が被装着物（２００）に対して回転せしめられている時に誤ってアジャスター本体（１）の雄ねじ部（１ｂ）が被装着物（２００）の雌ねじ部（２００ａ１ａ）から外れてしまうおそれを排除することができる。
【００２８】
一方、請求項１に記載のアジャスター（１００）では、ストッパー（２）の第２部分（２−２）がアジャスター本体（１）の溝（１ｂ１）の底部（１ｂ１ｃ）の他方の側の端部（１ｂ１ｃ２）に当接した状態のアジャスター（１００）が、被装着物（２００）の雌ねじ部（２００ａ１ａ）とアジャスター本体（１）の雄ねじ部（１ｂ）との螺合が解除される向きに被装着物（２００）に対して回転せしめられると、ストッパー（２）の第２部分（２−２）が被装着物（２００）の螺合部（２００ａ）の上面（２００ａ２）に当接する。次いで、被装着物（２００）の雌ねじ部（２００ａ１ａ）とアジャスター本体（１）の雄ねじ部（１ｂ）との螺合が解除される向きにアジャスター（１００）が被装着物（２００）に対して更に回転せしめられると、ストッパー（２）の穴（２ａ）の中心軸線（２ａ’）に対するストッパー（２）の重心（Ｇ２）の位置が高くなる向きにストッパー（２）が回動する。
【００２９】
更に、請求項１に記載のアジャスター（１００）では、被装着物（２００）の雌ねじ部（２００ａ１ａ）とアジャスター本体（１）の雄ねじ部（１ｂ）との螺合が解除される向きにアジャスター（１００）が被装着物（２００）に対して回転せしめられ続けると、ストッパー（２）の第３部分（２ｂ）の端部（２ｂ１）が、アジャスター本体（１）の雄ねじ部（１ｂ）の溝（１ｂ１）の外側に露出すると共に、ストッパー（２）の第４部分（２ｃ）の端部（２ｃ１）が、アジャスター本体（１）の雄ねじ部（１ｂ）の溝（１ｂ１）の外側に露出して、ストッパー（２）の第２部分（２−２）がアジャスター本体（１）の接地部（１ａ）に対向し、ストッパー（２）の第３部分（２ｂ）の端部（２ｂ１）のうち、アジャスター本体（１）の接地部（１ａ）に最も近い部分（２ｂ１−２）と、ストッパー（２）の第４部分（２ｃ）の端部（２ｃ１）のうち、アジャスター本体（１）の接地部（１ａ）に最も近い部分（２ｃ１−２）とが、被装着物（２００）の螺合部（２００ａ）の上面（２００ａ２）に当接する。
【００３０】
その結果、請求項１に記載のアジャスター（１００）では、被装着物（２００）の雌ねじ部（２００ａ１ａ）とアジャスター本体（１）の雄ねじ部（１ｂ）との螺合が解除される向きにアジャスター（１００）を被装着物（２００）に対して回転させ続けることができなくなる。
【００３１】
換言すれば、請求項１に記載のアジャスター（１００）では、ストッパー（２）の第２部分（２−２）がアジャスター本体（１）の接地部（１ａ）に対向し、被装着物（２００）の雌ねじ部（２００ａ１ａ）とアジャスター本体（１）の雄ねじ部（１ｂ）との螺合が解除される向きにアジャスター（１００）を被装着物（２００）に対して回転させ続けることができなくなるストッパー（２）の第３の回動状態の時に、ストッパー（２）の第３部分（２ｂ）の端部（２ｂ１）が、アジャスター本体（１）の雄ねじ部（１ｂ）の溝（１ｂ１）の外側に露出すると共に、ストッパー（２）の第４部分（２ｃ）の端部（２ｃ１）が、アジャスター本体（１）の雄ねじ部（１ｂ）の溝（１ｂ１）の外側に露出し、かつ、ストッパー（２）の第３部分（２ｂ）の端部（２ｂ１）のうち、アジャスター本体（１）の接地部（１ａ）に最も近い部分（２ｂ１−２）と、ストッパー（２）の第４部分（２ｃ）の端部（２ｃ１）のうち、アジャスター本体（１）の接地部（１ａ）に最も近い部分（２ｃ１−２）とが、アジャスター本体（１）の雄ねじ部（１ｂ）の中心軸線（１ｂ’）に垂直な平面（ＨＳ）上に位置する。
【００３２】
そのため、請求項１に記載のアジャスター（１００）によれば、被装着物（２００）の高さを調整するために被装着物（２００）の雌ねじ部（２００ａ１ａ）とアジャスター本体（１）の雄ねじ部（１ｂ）との螺合が解除される向きにアジャスター（１００）が被装着物（２００）に対して回転せしめられている時に誤ってアジャスター本体（１）の雄ねじ部（１ｂ）が被装着物（２００）の雌ねじ部（２００ａ１ａ）から外れてしまうおそれを排除することができる。
【図面の簡単な説明】
【００３３】
【図１】第１の実施形態のアジャスター１００を示した図である。
【図２】第１の実施形態のアジャスター１００の一部を構成するアジャスター本体１の部品図である。
【図３】第１の実施形態のアジャスター１００の一部を構成するアジャスター本体１の部品図である。
【図４】第１の実施形態のアジャスター１００の一部を構成するストッパー２の部品図である。
【図５】第１の実施形態のアジャスター１００の一部を構成する軸部材３の部品図である。
【図６】上下逆の姿勢にされた例えば什器などの被装着物２００に対して装着するために上下逆の姿勢にされた第１の実施形態のアジャスター１００を示した図である。
【図７】上下逆の姿勢にされた例えば什器などの被装着物２００に対して装着するために上下逆の姿勢にされた第１の実施形態のアジャスター１００などを示した図である。
【図８】上下逆の姿勢にされた第１の実施形態のアジャスター１００のストッパー２の投影像２’とアジャスター本体１の雄ねじ部１ｂのねじ谷部１ｂ３の円形の投影像１ｂ３’との関係を示した図である。
【図９】第１の実施形態のアジャスター１００の特徴を説明するための図である。
【図１０】第１の実施形態のアジャスター１００の特徴を説明するための図である。
【図１１】第１の実施形態のアジャスター１００の特徴を説明するための図である。
【発明を実施するための形態】
【００３４】
以下、本発明のアジャスターの第１の実施形態について説明する。図１は第１の実施形態のアジャスター１００を示した図である。詳細には、図１（Ａ）はストッパー２がアジャスター本体１に突き当たるまで軸部材３を中心に図１（Ａ）の時計まわりに回動した状態における第１の実施形態のアジャスター１００の正面図である。図１（Ｂ）はその状態における第１の実施形態のアジャスター１００の右側面図である。図１（Ｃ）はストッパー２がアジャスター本体１に突き当たるまで軸部材３を中心に図１（Ｃ）の反時計まわりに回動した状態における第１の実施形態のアジャスター１００の正面図である。図１（Ｄ）はその状態における第１の実施形態のアジャスター１００の右側面図である。
【００３５】
図２および図３は第１の実施形態のアジャスター１００の一部を構成するアジャスター本体１の部品図である。詳細には、図２（Ａ）はアジャスター本体１の平面図、図２（Ｂ）はアジャスター本体１の正面図、図２（Ｃ）はアジャスター本体１の右側面図、図２（Ｄ）はアジャスター本体１の底面図、図２（Ｅ）はアジャスター本体１の後側面図である。図３（Ａ）は図２（Ａ）のＡ−Ａ線に沿った鉛直断面図、図３（Ｂ）は図２（Ａ）のＣ−Ｃ線に沿った鉛直断面図、図３（Ｃ）は図２（Ａ）のＢ−Ｂ線に沿った鉛直断面図である。図３（Ｄ）は中心軸線１’を中心とするアジャスター本体１の溝１ｂ１（図２（Ａ）および図２（Ｃ）参照）の底部１ｂ１ｃの内接円ＩＣ１ｂ１ｃを説明するための図である。図３（Ｅ）は中心軸線１’を中心とするアジャスター本体１の溝１ｂ１（図２（Ａ）および図２（Ｃ）参照）の底部１ｂ１ｃの外接円ＣＣ１ｂ１ｃを説明するための図である。図３において、１ｂ２はアジャスター本体１の雄ねじ部１ｂのねじ山部を示している。
【００３６】
図４は第１の実施形態のアジャスター１００の一部を構成するストッパー２の部品図である。詳細には、図４（Ａ）はストッパー２の平面図、図４（Ｂ）はストッパー２の左側面図、図４（Ｃ）はストッパー２の正面図、図４（Ｄ）はストッパー２の右側面図である。図４（Ｅ）はストッパー２の中心面ＣＳ２よりもストッパー２の短手方向（図４（Ｅ）の左右方向）の一方の側（図４（Ｅ）の右側）に位置する部分（右上がりのハッチング部分）２−１と、中心面ＣＳ２よりもストッパー２の短手方向（図４（Ｅ）の左右方向）の他方の側（図４（Ｅ）の左側）に位置する部分（右下がりのハッチング部分）２−２とを対比して説明するためのストッパー２の正面図である。
【００３７】
図４（Ｆ）はストッパー２の穴２ａの中心軸線２ａ’よりもストッパー２の長手方向（図４（Ｆ）の上下方向）の一方の側（図４（Ｆ）の上側）に位置する部分（右上がりのハッチング部分）２ｂと、中心軸線２ａ’よりもストッパー２の長手方向（図４（Ｆ）の上下方向）の他方の側（図４（Ｆ）の下側）に位置する部分（右下がりのハッチング部分）２ｃとを対比して説明するためのストッパー２の正面図である。図４（Ｈ）はストッパー２の部分２ｂの端部（右上がりのハッチング部分）２ｂ１と、部分２ｃの端部（右下がりのハッチング部分）２ｃ１とを示したストッパー２の正面図である。
【００３８】
図４（Ｇ）はストッパー２の部分２ｂの端部２ｂ１のうち、アジャスター本体１（図２および図３参照）の雄ねじ部１ｂ（図２および図３参照）が被装着物２００（図７（Ａ）参照）の雌ねじ部２００ａ１ａ（図７（Ａ）参照）から外れてしまうのを防止するために被装着物２００の螺合部２００ａ（図７（Ａ）参照）の上面２００ａ２（図７（Ａ）および図１１（Ｃ）参照）に当接する部分２ｂ１−２と、ストッパー２の部分２ｃの端部２ｃ１のうち、アジャスター本体１（図２および図３参照）の雄ねじ部１ｂ（図２および図３参照）が被装着物２００（図７（Ａ）参照）の雌ねじ部２００ａ１ａ（図７（Ａ）参照）から外れてしまうのを防止するために被装着物２００の螺合部２００ａ（図７（Ａ）参照）の上面２００ａ２（図７（Ａ）および図１１（Ｃ）参照）に当接する部分２ｃ１−２とを示したストッパー２の左側面図である。
【００３９】
図４（Ｉ）はストッパー２の部分２ｂの端部２ｂ１のうち、アジャスター本体１（図２および図３参照）の雄ねじ部１ｂ（図２および図３参照）が被装着物２００（図７（Ａ）参照）の雌ねじ部２００ａ１ａ（図７（Ａ）参照）から外れてしまうのを防止するために被装着物２００の螺合部２００ａ（図７（Ａ）参照）の上面２００ａ２（図７（Ａ）および図９（Ｃ）参照）に当接する部分２ｂ１−１と、ストッパー２の部分２ｃの端部２ｃ１のうち、アジャスター本体１（図２および図３参照）の雄ねじ部１ｂ（図２および図３参照）が被装着物２００（図７（Ａ）参照）の雌ねじ部２００ａ１ａ（図７（Ａ）参照）から外れてしまうのを防止するために被装着物２００の螺合部２００ａ（図７（Ａ）参照）の上面２００ａ２（図７（Ａ）および図９（Ｃ）参照）に当接する部分２ｃ１−１とを示したストッパー２の右側面図である。図４（Ｊ）はストッパー２の穴２ａの中心軸線２ａ’を中心とするストッパー２の部分２ｂの外接円ＣＣ２ｂを示したストッパー２の正面図である。図４（Ｋ）はストッパー２の穴２ａの中心軸線２ａ’を中心とするストッパー２の部分２ｃの外接円ＣＣ２ｃを示したストッパー２の正面図である。
【００４０】
図５は第１の実施形態のアジャスター１００の一部を構成する軸部材３の部品図である。詳細には、図５（Ａ）は軸部材３の正面図、図５（Ｂ）は軸部材３の右側面図である。図６および図７は上下逆の姿勢にされた例えば什器などの被装着物２００（図７参照）に対して装着するために上下逆の姿勢にされた第１の実施形態のアジャスター１００を示した図である。詳細には、図６（Ａ）は上下逆の姿勢にされた第１の実施形態のアジャスター１００の正面図、図６（Ｂ）は上下逆の姿勢にされた第１の実施形態のアジャスター１００の右側面図、図６（Ｃ）は上下逆の姿勢にされた第１の実施形態のアジャスター１００を左前側かつ上側から見た斜視図、図６（Ｄ）は上下逆の姿勢にされた第１の実施形態のアジャスター１００を右前側かつ下側から見た斜視図である。
【００４１】
図７（Ａ）は上下逆の姿勢にされた例えば什器などの被装着物２００に対して装着される前における図６（Ｂ）のＥ−Ｅ線に沿った鉛直断面図、図７（Ｂ）は上下逆の姿勢にされた例えば什器などの被装着物２００に対して装着される前における図６（Ａ）のＤ−Ｄ線に沿った鉛直断面図、図７（Ｃ）は上下逆の姿勢にされた例えば什器などの被装着物２００に対して装着された後における図６（Ｂ）のＥ−Ｅ線に沿った鉛直断面図、図７（Ｄ）は上下逆の姿勢にされた例えば什器などの被装着物２００に対して装着された後における図６（Ａ）のＤ−Ｄ線に沿った鉛直断面図である。図７において、２００ａ１ａ’は被装着物２００の螺合部２００ａの雌ねじ部２００ａ１ａの中心軸線を示しており、２００ａ１ａ２は雌ねじ部２００ａ１ａのねじ谷部を示している。図８は上下逆の姿勢にされた第１の実施形態のアジャスター１００（図７参照）のストッパー２（図７参照）の投影像２’と、アジャスター本体１（図７参照）の雄ねじ部１ｂ（図７参照）のねじ谷部１ｂ３（図７参照）の円形の投影像１ｂ３’との関係を示した図である。
【００４２】
図９〜図１１は第１の実施形態のアジャスター１００の特徴を説明するための図である。詳細には、図９（Ａ）は図７（Ｃ）に示す上下逆の姿勢から被装着物２００の通常の使用状態の姿勢に戻された被装着物２００およびアジャスター１００の鉛直断面図である。図９（Ｂ）は被装着物２００の雌ねじ部２００ａ１ａ（図７（Ａ）参照）とアジャスター本体１の雄ねじ部１ｂとの螺合が解除される向きにアジャスター１００が被装着物２００に対して回転せしめられ、ストッパー２の部分２−１が被装着物２００の螺合部２００ａの上面２００ａ２に当接した状態における被装着物２００およびアジャスター１００の鉛直断面図である。図９（Ｃ）は被装着物２００の雌ねじ部２００ａ１ａ（図７（Ａ）参照）とアジャスター本体１の雄ねじ部１ｂとの螺合が解除される向きにアジャスター１００を被装着物２００に対して回転させ続けることができなくなった状態における被装着物２００およびアジャスター１００の鉛直断面図である。
【００４３】
図１０（Ａ）は図９（Ｃ）に示す状態における第１の実施形態のアジャスター１００の正面図、図１０（Ｂ）は図９（Ｃ）に示す状態における第１の実施形態のアジャスター１００の右側面図、図１０（Ｃ）は図９（Ｃ）に示す状態における第１の実施形態のアジャスター１００を左前側かつ上側から見た斜視図、図１０（Ｄ）は図９（Ｃ）に示す状態における第１の実施形態のアジャスター１００を右前側かつ下側から見た斜視図である。図１１（Ａ）は図７（Ｃ）に示す上下逆の姿勢から被装着物２００の通常の使用状態の姿勢に戻された被装着物２００およびアジャスター１００の鉛直断面図である。図１１（Ｂ）は被装着物２００の雌ねじ部２００ａ１ａ（図７（Ａ）参照）とアジャスター本体１の雄ねじ部１ｂとの螺合が解除される向きにアジャスター１００が被装着物２００に対して回転せしめられ、ストッパー２の部分２−２が被装着物２００の螺合部２００ａの上面２００ａ２に当接した状態における被装着物２００およびアジャスター１００の鉛直断面図である。図１１（Ｃ）は被装着物２００の雌ねじ部２００ａ１ａ（図７（Ａ）参照）とアジャスター本体１の雄ねじ部１ｂとの螺合が解除される向きにアジャスター１００を被装着物２００に対して回転させ続けることができなくなった状態における被装着物２００およびアジャスター１００の鉛直断面図である。
【００４４】
第１の実施形態のアジャスター１００では、図２および図３に示すように、接地部１ａと雄ねじ部１ｂとがアジャスター本体１に設けられている。また、雄ねじ部１ｂの先端部分に溝１ｂ１（図２（Ａ）および図２（Ｃ）参照）が形成されている。更に、溝１ｂ１の前側（図２（Ａ）の下側、図２（Ｃ）の左側）に位置する壁部１ｂ１ａに穴１ｂ１ａ１が形成されている。また、壁部１ｂ１ａの穴１ｂ１ａ１と同心の穴１ｂ１ｂ１が、溝１ｂ１の後側（図２（Ａ）の上側、図２（Ｃ）の右側）に位置する壁部１ｂ１ｂに形成されている。
【００４５】
更に、第１の実施形態のアジャスター１００では、図１（Ｂ）および図１（Ｄ）に示すように、アジャスター本体１の壁部１ｂ１ａ（図３（Ｂ）参照）の穴１ｂ１ａ１（図３（Ｂ）参照）および壁部１ｂ１ｂ（図３（Ｂ）参照）の穴１ｂ１ｂ１（図３（Ｂ）参照）によって支持された軸部材３（図５および図７（Ｂ）参照）を中心に回動可能に構成された板状のストッパー２が、アジャスター本体１の雄ねじ部１ｂ（図２（Ｃ）参照）の溝１ｂ１（図２（Ｃ）参照）内に配置されている。
【００４６】
詳細には、第１の実施形態のアジャスター１００では、軸部材３（図５および図７（Ｂ）参照）の嵌合部３ｂ（図５参照）と、ストッパー２（図４および図７（Ｂ）参照）の穴２ａ（図４参照）とが隙間嵌めを構成している。その結果、ストッパー２が軸部材３に対して回動することができる。また、軸部材３のかしめ部３ａ（図５参照）をかしめることによって、軸部材３のかしめ部３ａがアジャスター本体１（図２、図３および図７（Ｂ）参照）の壁部１ｂ１ａ（図２および図３参照）の穴１ｂ１ａ１（図３（Ｂ）参照）に対して固定されている。更に、軸部材３のかしめ部３ｃ（図５参照）をかしめることによって、軸部材３のかしめ部３ｃがアジャスター本体１（図２、図３および図７（Ｂ）参照）の壁部１ｂ１ｂ（図２および図３参照）の穴１ｂ１ｂ１（図３（Ｂ）参照）に対して固定されている。
【００４７】
第１の実施形態のアジャスター１００では、軸部材３（図５参照）の嵌合部３ｂ（図５参照）の両側がかしめ部３ａ，３ｃ（図５参照）によって構成されているが、第２の実施形態のアジャスター１００では、代わりに、軸部材３（図５参照）の嵌合部３ｂ（図５参照）の一方の側をかしめ部３ａ（図５参照）によって構成すると共に、軸部材３（図５参照）の嵌合部３ｂ（図５参照）の他方の側を、例えば皿ねじの頭部の形状と同様の形状に予め形成しておくことも可能である。
【００４８】
更に、第１の実施形態のアジャスター１００では、図４（Ｃ）に示すように、ストッパー２のうち、穴２ａの中心軸線２ａ’とストッパー２の重心Ｇ２とを含む中心面ＣＳ２よりもストッパー２の短手方向（図４（Ｃ）の左右方向）の一方の側（図４（Ｃ）の右側）に位置する部分２−１と、中心面Ｓ２よりもストッパー２の短手方向の他方の側（図４（Ｃ）の左側）に位置する部分２−２とが、中心面ＣＳ２に関して面対称になるように、ストッパー２が形成されている。また、ストッパー２のうち、中心軸線２ａ’よりもストッパー２の長手方向（図４（Ｃ）の上下方向）の一方の側（図４（Ｃ）の上側）に位置する部分２ｂに、ストッパー２の重心Ｇ２が配置されている。
【００４９】
また、第１の実施形態のアジャスター１００では、図３（Ｄ）および図４（Ｋ）に示すように、ストッパー２のうち、ストッパー２の穴２ａの中心軸線２ａ’よりもストッパー２の長手方向（図４（Ｋ）の上下方向）の他方の側（図４（Ｋ）の下側）に位置する部分（右下がりのハッチング部分）２ｃの外接円ＣＣ２ｃであって、ストッパー２の穴２ａの中心軸線２ａ’を中心とする外接円ＣＣ２ｃの半径ｒＣＣ２ｃが、アジャスター本体１の壁部１ｂ１ａ（図３（Ｂ）参照）の穴１ｂ１ａ１（図３（Ｂ）参照）および壁部１ｂ１ｂの穴１ｂ１ｂ１の中心軸線１’を中心とするアジャスター本体１の溝１ｂ１（図２（Ａ）および図２（Ｃ）参照）の底部１ｂ１ｃの内接円ＩＣ１ｂ１ｃの半径ｒＩＣ１ｂ１ｃよりも小さくなるように、ストッパー２の部分２ｃが形成されている。
【００５０】
そのため、第１の実施形態のアジャスター１００では、図６、図７（Ａ）および図７（Ｂ）に示すように、上下逆の姿勢にされた例えば什器などの被装着物２００（図７参照）の底面の螺合部２００ａ（図７（Ａ）および図７（Ｂ）参照）の雌ねじ部２００ａ１ａ（図７（Ａ）および図７（Ｂ）参照）に対し、上下逆の姿勢にされたアジャスター１００のアジャスター本体１の雄ねじ部１ｂ（図７（Ａ）および図７（Ｂ）参照）を螺合させようとすると、ストッパー２の部分２ｂ（図７（Ａ）および図７（Ｂ）参照）に配置されたストッパー２の重心Ｇ２（図７（Ａ）および図７（Ｂ）参照）がストッパー２の穴２ａ（図４参照）の中心軸線２ａ’（図７（Ａ）および図７（Ｂ）参照）の真下に位置し、更に、ストッパー２の部分２ｃ（図７（Ａ）および図７（Ｂ）参照）が、ストッパー２の穴２ａ（図４参照）の中心軸線２ａ’の真上に位置すると共に、アジャスター本体１の溝１ｂ１（図２（Ａ）および図２（Ｃ）参照）の底部１ｂ１ｃ（図７（Ａ）および図７（Ｂ）参照）と対向する。その結果、図７（Ａ）に示すように、アジャスター本体１の雄ねじ部１ｂの中心軸線１ｂ’とストッパー２の中心面ＣＳ２とが一致する。
【００５１】
更に、第１の実施形態のアジャスター１００では、図６および図７に示すようにアジャスター１００が上下逆の姿勢にされている時、図８に示すように、アジャスター本体１（図６および図７参照）の雄ねじ部１ｂ（図７（Ａ）および図７（Ｂ）参照）の中心軸線１ｂ’（図７参照）の方向に例えば床面ＦＳに対して投影されるストッパー２（図６および図７参照）の像２’が、アジャスター本体１の雄ねじ部１ｂの中心軸線１ｂ’の方向に例えば床面ＦＳに対して投影されるアジャスター本体１の雄ねじ部１ｂのねじ谷部１ｂ３（図７（Ａ）および図７（Ｂ）参照）の円形の像１ｂ３’の内側に位置する。
【００５２】
そのため、第１の実施形態のアジャスター１００では、図７（Ｃ）および図７（Ｄ）に示すように、ストッパー２（図７（Ａ）および図７（Ｂ）参照）と被装着物２００の螺合部２００ａ（図７（Ａ）および図７（Ｂ）参照）の雌ねじ部２００ａ１ａ（図７（Ａ）および図７（Ｂ）参照）のねじ山部２００ａ１ａ１（図７（Ａ）および図７（Ｂ）参照）とが干渉することなく、被装着物２００の螺合部２００ａの雌ねじ部２００ａ１ａに対してアジャスター本体１（図７（Ａ）および図７（Ｂ）参照）の雄ねじ部１ｂ（図７（Ａ）および図７（Ｂ）参照）を螺合させることができ、被装着物２００に対してアジャスター１００を装着することができる。
【００５３】
第１の実施形態のアジャスター１００では、図７（Ａ）に示すように、アジャスター１００が上下逆の姿勢にされている時に、アジャスター本体１の雄ねじ部１ｂの中心軸線１ｂ’とストッパー２の中心面ＣＳ２とが一致するように、ストッパー２がアジャスター本体１に対して配置されているが、第３の実施形態のアジャスター１００では、代わりに、アジャスター１００が上下逆の姿勢にされている時に、アジャスター本体１の雄ねじ部１ｂの中心軸線１ｂ’とストッパー２の中心面ＣＳ２とが一致せず、平行になるように、ストッパー２をアジャスター本体１に対して図７（Ａ）の右側または左側にオフセットさせて配置することも可能である。第３の実施形態のアジャスター１００においても、第１の実施形態のアジャスター１００と同様に、ストッパー２の投影像２’（図８参照）をアジャスター本体１の雄ねじ部１ｂのねじ谷部１ｂ３（図７（Ａ）および図７（Ｂ）参照）の円形の投影像１ｂ３’（図８参照）の内側に配置することにより、図７（Ｃ）および図７（Ｄ）に示すように、被装着物２００に対してアジャスター１００を装着することができる。
【００５４】
一方、第１の実施形態のアジャスター１００では、被装着物２００（図７（Ｃ）および図７（Ｄ）参照）および被装着物２００に装着されたアジャスター１００（図７（Ｃ）および図７（Ｄ）参照）が、図７（Ｃ）および図７（Ｄ）に示す上下逆の姿勢から被装着物２００の通常の使用状態の姿勢に戻されると、図９（Ａ）および図１１（Ａ）に示すように、ストッパー２の部分２ｂ（図４参照）に配置されたストッパー２の重心Ｇ２がストッパー２の穴２ａ（図４参照）の中心軸線２ａ’よりも下側（図９（Ａ）および図１１（Ａ）の下側）に位置するように、ストッパー２が軸部材３を中心に回動する。
【００５５】
そこで、第１の実施形態のアジャスター１００では、図３（Ｅ）および図４（Ｊ）に示すように、ストッパー２の穴２ａの中心軸線２ａ’を中心とするストッパー２の部分２ｂの外接円ＣＣ２ｂの半径ｒＣＣ２ｂが、アジャスター本体１の壁部１ｂ１ａ（図３（Ｂ）参照）の穴１ｂ１ａ１（図３（Ｂ）参照）および壁部１ｂ１ｂの穴１ｂ１ｂ１の中心軸線１’を中心とするアジャスター本体１の溝１ｂ１（図２（Ａ）および図２（Ｃ）参照）の底部１ｂ１ｃの外接円ＣＣ１ｂ１ｃの半径ｒＣＣ１ｂ１ｃよりも大きくなるように、ストッパー２の部分２ｂが形成されている。
【００５６】
そのため、第１の実施形態のアジャスター１００では、被装着物２００および被装着物２００に装着されたアジャスター１００が、図７（Ｃ）および図７（Ｄ）に示す上下逆の姿勢から、図９（Ａ）および図１１（Ａ）に示す被装着物２００の通常の使用状態の姿勢に戻された時に、アジャスター本体１の溝１ｂ１の底部１ｂ１ｃとストッパー２の部分２ｂ（図４参照）とが対向するまで、ストッパー２が軸部材３を中心に回動することができない。
【００５７】
詳細には、第１の実施形態のアジャスター１００では、図４に示すように、ストッパー２のうち、穴２ａの中心軸線２ａ’と重心Ｇ２とを含む中心面ＣＳ２よりもストッパー２の短手方向（図４（Ｃ）の左右方向）の一方の側（図４（Ｃ）の右側）に位置する部分２−１と、ストッパー２の中心面Ｓ２よりもストッパー２の短手方向（図４（Ｃ）の左右方向）の他方の側（図４（Ｃ）の左側）に位置する部分２−２とが、ストッパー２の中心面ＣＳ２に関して面対称になるように、ストッパー２が形成されている。
【００５８】
そのため、第１の実施形態のアジャスター１００では、被装着物２００および被装着物２００に装着されたアジャスター１００が、図７（Ｃ）および図７（Ｄ）に示す上下逆の姿勢から、被装着物２００の通常の使用状態の姿勢に戻されると、図９（Ａ）に示すように、ストッパー２の部分２−１がストッパー２の部分２−２よりも下側になるようにストッパー２が軸部材３を中心に図９（Ａ）の時計まわりに回動した状態になるか、あるいは、図１１（Ａ）に示すように、ストッパー２の部分２−２がストッパー２の部分２−１よりも下側になるようにストッパー２が軸部材３を中心に図１１（Ａ）の反時計まわりに回動した状態になる。
【００５９】
更に、第１の実施形態のアジャスター１００では、図９（Ａ）に示すように、ストッパー２の部分２−１がストッパー２の部分２−２よりも下側になるようにストッパー２が軸部材３を中心に図９（Ａ）の時計まわりに回動した状態になる場合に、ストッパー２の部分２−１がアジャスター本体１の溝１ｂ１の底部１ｂ１ｃの一方の側（図９（Ａ）の右側）の端部１ｂ１ｃ１に当接した状態でストッパー２が停止し、ストッパー２の部分２ｂ（図４参照）の端部２ｂ１が、アジャスター本体１の雄ねじ部１ｂの溝１ｂ１の外側に露出すると共に、ストッパー２の部分２ｃ（図４参照）の端部２ｃ１（図４（Ｈ）参照）が、アジャスター本体１の雄ねじ部１ｂの溝１ｂ１の外側に露出した状態になる。
【００６０】
一方、第１の実施形態のアジャスター１００では、図１１（Ａ）に示すように、ストッパー２の部分２−２がストッパー２の部分２−１よりも下側になるようにストッパー２が軸部材３を中心に図１１（Ａ）の反時計まわりに回動した状態になる場合に、ストッパー２の部分２−２がアジャスター本体１の溝１ｂ１の底部１ｂ１ｃの他方の側（図１１（Ａ）の左側）の端部１ｂ１ｃ２に当接した状態でストッパー２が停止し、ストッパー２の部分２ｂの端部２ｂ１が、アジャスター本体１の雄ねじ部１ｂの溝１ｂ１の外側に露出すると共に、ストッパー２の部分２ｃ（図４参照）の端部２ｃ１（図４（Ｈ）参照）が、アジャスター本体１の雄ねじ部１ｂの溝１ｂ１の外側に露出した状態になる。
【００６１】
また、第１の実施形態のアジャスター１００では、図９（Ａ）に示すように、ストッパー２の部分２−１がアジャスター本体１の溝１ｂ１の底部１ｂ１ｃの一方の側（図９（Ａ）の右側）の端部１ｂ１ｃ１に当接した状態のアジャスター１００が、被装着物２００の雌ねじ部２００ａ１ａ（図７（Ａ）参照）とアジャスター本体１の雄ねじ部１ｂ（図９（Ｂ）参照参照）との螺合が解除される向きに被装着物２００に対して回転せしめられると、図９（Ｂ）に示すように、ストッパー２の部分２−１が被装着物２００の螺合部２００ａの上面２００ａ２に当接する。次いで、被装着物２００の雌ねじ部２００ａ１ａとアジャスター本体１の雄ねじ部１ｂとの螺合が解除される向きにアジャスター１００が被装着物２００に対して更に回転せしめられると、図９（Ｂ）に矢印で示すように、ストッパー２の穴２ａ（図４参照）の中心軸線２ａ’に対するストッパー２の重心Ｇ２の位置が高くなる向き（図９（Ｂ）の反時計まわり）にストッパー２が回動する。
【００６２】
更に、第１の実施形態のアジャスター１００では、被装着物２００の雌ねじ部２００ａ１ａ（図７（Ａ）参照）とアジャスター本体１の雄ねじ部１ｂとの螺合が解除される向きにアジャスター１００が被装着物２００に対して回転せしめられ続けると、図９（Ｃ）に示すように、ストッパー２の部分２ｂ（図４参照）の端部２ｂ１が、アジャスター本体１の雄ねじ部１ｂの溝１ｂ１の外側に露出すると共に、ストッパー２の部分２ｃ（図４参照）の端部２ｃ１が、アジャスター本体１の雄ねじ部１ｂの溝１ｂ１の外側に露出して、ストッパー２の部分２−１がアジャスター本体１の接地部１ａに対向し、ストッパー２の部分２ｂの端部２ｂ１のうち、アジャスター本体１の接地部１ａに最も近い部分２ｂ１−１（図４（Ｉ）参照）が、被装着物２００の螺合部２００ａの上面２００ａ２の部分２００ａ２ａ（図７（Ａ）参照）に当接すると共に、ストッパー２の部分２ｃの端部２ｃ１のうち、アジャスター本体１の接地部１ａに最も近い部分２ｃ１−１（図４（Ｉ）参照）が、被装着物２００の螺合部２００ａの上面２００ａ２の部分２００ａ２ｂ（図７（Ａ）参照）に当接する。
【００６３】
その結果、第１の実施形態のアジャスター１００では、被装着物２００の雌ねじ部２００ａ１ａ（図７（Ａ）参照）とアジャスター本体１の雄ねじ部１ｂとの螺合が解除される向き（床面ＦＳに対する被装着物２００の高さが図９（Ｃ）に示す状態よりも高くなる向き）にアジャスター１００を被装着物２００に対して回転させ続けることができなくなる。
【００６４】
換言すれば、第１の実施形態のアジャスター１００では、図９（Ｃ）に示すように、ストッパー２の部分２−１がアジャスター本体１の接地部１ａに対向し、被装着物２００の雌ねじ部２００ａ１ａ（図７（Ａ）参照）とアジャスター本体１の雄ねじ部１ｂとの螺合が解除される向きにアジャスター１００を被装着物２００に対して回転させ続けることができなくなる時に、ストッパー２の部分２ｂ（図４参照）の端部２ｂ１が、アジャスター本体１の雄ねじ部１ｂの溝１ｂ１の外側に露出すると共に、ストッパー２の部分２ｃ（図４参照）の端部２ｃ１が、アジャスター本体１の雄ねじ部１ｂの溝１ｂ１の外側に露出し、かつ、ストッパー２の部分２ｂ（図４参照）の端部２ｂ１のうち、アジャスター本体１の接地部１ａに最も近い部分２ｂ１−１（図４（Ｉ）参照）と、ストッパー２の部分２ｃ（図４参照）の端部２ｃ１のうち、アジャスター本体１の接地部１ａに最も近い部分２ｃ１−１（図４（Ｉ）参照）とが、アジャスター本体１の雄ねじ部１ｂの中心軸線１ｂ’に垂直な平面ＨＳ上に位置する。
【００６５】
そのため、第１の実施形態のアジャスター１００によれば、被装着物２００の高さを調整するために被装着物２００の雌ねじ部２００ａ１ａとアジャスター本体１の雄ねじ部１ｂとの螺合が解除される向き（床面ＦＳに対する被装着物２００の高さが図９（Ｃ）に示す状態よりも高くなる向き）にアジャスター１００が被装着物２００に対して回転せしめられている時に誤ってアジャスター本体１の雄ねじ部１ｂが被装着物２００の雌ねじ部２００ａ１ａ（図７（Ａ）参照）から外れてしまうおそれを排除することができる。
【００６６】
一方、第１の実施形態のアジャスター１００では、図１１（Ａ）に示すように、ストッパー２の部分２−２がアジャスター本体１の溝１ｂ１の底部１ｂ１ｃの他方の側（図１１（Ａ）の左側）の端部１ｂ１ｃ２に当接した状態のアジャスター１００が、被装着物２００の雌ねじ部２００ａ１ａ（図７（Ａ）参照）とアジャスター本体１の雄ねじ部１ｂ（図１１（Ｂ）参照）との螺合が解除される向きに被装着物２００に対して回転せしめられると、図１１（Ｂ）に示すように、ストッパー２の部分２−２が被装着物２００の螺合部２００ａの上面２００ａ２に当接する。次いで、被装着物２００の雌ねじ部２００ａ１ａとアジャスター本体１の雄ねじ部１ｂとの螺合が解除される向きにアジャスター１００が被装着物２００に対して更に回転せしめられると、図１１（Ｂ）に矢印で示すように、ストッパー２の穴２ａ（図４参照）の中心軸線２ａ’に対するストッパー２の重心Ｇ２の位置が高くなる向き（図１１（Ｂ）の時計まわり）にストッパー２が回動する。
【００６７】
更に、第１の実施形態のアジャスター１００では、被装着物２００の雌ねじ部２００ａ１ａ（図７（Ａ）参照）とアジャスター本体１の雄ねじ部１ｂとの螺合が解除される向きにアジャスター１００が被装着物２００に対して回転せしめられ続けると、図１１（Ｃ）に示すように、ストッパー２の部分２ｂ（図４参照）の端部２ｂ１が、アジャスター本体１の雄ねじ部１ｂの溝１ｂ１の外側に露出すると共に、ストッパー２の部分２ｃ（図４参照）の端部２ｃ１が、アジャスター本体１の雄ねじ部１ｂの溝１ｂ１の外側に露出して、ストッパー２の部分２−２がアジャスター本体１の接地部１ａに対向し、ストッパー２の部分２ｂの端部２ｂ１のうち、アジャスター本体１の接地部１ａに最も近い部分２ｂ１−２（図４（Ｇ）参照）が、被装着物２００の螺合部２００ａの上面２００ａ２の部分２００ａ２ｂ（図７（Ａ）参照）に当接すると共に、ストッパー２の部分２ｃの端部２ｃ１のうち、アジャスター本体１の接地部１ａに最も近い部分２ｃ１−２（図４（Ｇ）参照）が、被装着物２００の螺合部２００ａの上面２００ａ２の部分２００ａ２ａ（図７（Ａ）参照）に当接する。
【００６８】
その結果、第１の実施形態のアジャスター１００では、被装着物２００の雌ねじ部２００ａ１ａ（図７（Ａ）参照）とアジャスター本体１の雄ねじ部１ｂとの螺合が解除される向き（床面ＦＳに対する被装着物２００の高さが図１１（Ｃ）に示す状態よりも高くなる向き）にアジャスター１００を被装着物２００に対して回転させ続けることができなくなる。
【００６９】
換言すれば、第１の実施形態のアジャスター１００では、図１１（Ｃ）に示すように、ストッパー２の部分２−２がアジャスター本体１の接地部１ａに対向し、被装着物２００の雌ねじ部２００ａ１ａ（図７（Ａ）参照）とアジャスター本体１の雄ねじ部１ｂとの螺合が解除される向きにアジャスター１００を被装着物２００に対して回転させ続けることができなくなる時に、ストッパー２の部分２ｂ（図４参照）の端部２ｂ１が、アジャスター本体１の雄ねじ部１ｂの溝１ｂ１の外側に露出すると共に、ストッパー２の部分２ｃ（図４参照）の端部２ｃ１が、アジャスター本体１の雄ねじ部１ｂの溝１ｂ１の外側に露出し、かつ、ストッパー２の部分２ｂ（図４参照）の端部２ｂ１のうち、アジャスター本体１の接地部１ａに最も近い部分２ｂ１−２（図４（Ｇ）参照）と、ストッパー２の部分２ｃ（図４参照）の端部２ｃ１のうち、アジャスター本体１の接地部１ａに最も近い部分２ｃ１−２（図４（Ｇ）参照）とが、アジャスター本体１の雄ねじ部１ｂの中心軸線１ｂ’に垂直な平面ＨＳ上に位置する。
【００７０】
そのため、第１の実施形態のアジャスター１００によれば、被装着物２００の高さを調整するために被装着物２００の雌ねじ部２００ａ１ａとアジャスター本体１の雄ねじ部１ｂとの螺合が解除される向き（床面ＦＳに対する被装着物２００の高さが図１１（Ｃ）に示す状態よりも高くなる向き）にアジャスター１００が被装着物２００に対して回転せしめられている時に誤ってアジャスター本体１の雄ねじ部１ｂが被装着物２００の雌ねじ部２００ａ１ａ（図７（Ａ）参照）から外れてしまうおそれを排除することができる。
【００７１】
第１の実施形態のアジャスター１００では、アジャスター１００を被装着物２００から取り外す必要がある場合には、図７（Ｃ）および図７（Ｄ）に示すように、アジャスター１００および被装着物２００が上下逆の姿勢にされ、次いで、被装着物２００の雌ねじ部２００ａ１ａとアジャスター本体１の雄ねじ部１ｂとの螺合が解除される向きにアジャスター１００が被装着物２００に対して回転せしめられる。
【００７２】
第４の実施形態では、上述した第１から第３の実施形態を適宜組み合わせることも可能である。
【符号の説明】
【００７３】
１                            アジャスター本体
１ａ                          接地部
１ｂ                          雄ねじ部
１ｂ’                        中心軸線
１ｂ１                        溝
１ｂ１ａ，１ｂ１ｂ            壁部
１ｂ１ａ１，１ｂ１ｂ１        穴
１’                          中心軸線
１ｂ１ｃ                      底部
１ｂ１ｃ１，１ｂ１ｃ２        端部
１ｂ２                        ねじ山部
１ｂ３                        ねじ谷部
１ｂ３’                      像
２                            ストッパー
２’                          像
２−１，２−２                部分
２ａ                          穴
２ａ’                        中心軸線
２ｂ，２ｃ                    部分
２ｂ１，２ｃ１                端部
２ｂ１−１，２ｂ１−２        部分
２ｃ１−１，２ｃ１−２        部分
３                            軸部材
３ａ，３ｃ                    かしめ部
３ｂ                          嵌合部
１００                        アジャスター
【図１】
2012179261.tif 000003
【図２】
2012179261.tif 000004
【図３】
2012179261.tif 000005
【図４】
2012179261.tif 000006
【図５】
2012179261.tif 000007
【図６】
2012179261.tif 000008
【図７】
2012179261.tif 000009
【図８】
2012179261.tif 000010
【図９】
2012179261.tif 000011
【図１０】
2012179261.tif 000012
【図１１】
2012179261.tif 000013